(57)【特許請求の範囲】
【請求項１】
アンテナから信号を受信するために少なくとも１つのフィルタをフィルタリング特性を変更しながら使う方法であって、
該方法は、メイン信号経路（４０、１２６）にカップリングされた（４２、１４２）別の信号経路（１８、１４４）上の少なくとも１つの上側または下側エッジ振幅と前記メイン信号経路上のパワーレベルの関数として、前記メイン信号経路の動作周波数帯域に隣接する帯域の信号が該動作周波数帯域内の信号パワーに対して大きすぎる場合に、前記メイン信号経路上のフィルタリング特性を狭帯域に変更する（２４、１８０）ことにより前記隣接する帯域からの信号の減衰を向上させるものであり、該方法が、
前記メイン信号経路上にアナログ信号を受信し、
バンドエッジ検出経路である前記別の信号経路上に前記アナログ信号のレプリカを生成し、
前記バンドエッジ検出経路上の前記アナログ信号を、上側エッジ検出経路（５０、１６０）と下側エッジ検出経路（５２、１６２）に分割し（４８，１５４）、
前記上側エッジ検出経路上に前記動作周波数帯域の上側エッジにおける前記アナログ信号の振幅である前記上側エッジ振幅を生成し、前記下側エッジ検出経路上に前記動作周波数帯域の下側エッジにおける前記アナログ信号の振幅である前記下側エッジ振幅を生成し、そして、
前記メイン信号経路上の前記信号のパワーレベルを検出する（２６ａ、２６ｂ、１９０ａ、１９０ｂ）ことを含むことを特徴とする方法。
【請求項２】
隣接する帯域からの信号により帯域アナログデジタル変換器が飽和することを防止するために、過負荷保護回路がフィルタリング特性を狭帯域に変更するものである請求項１記載の方法。
【請求項３】
受信機用のバンドエッジ振幅低減システムであって、
動作周波数帯域を有するメイン信号経路上の可変フィルタ（２４、１８０）、
前記動作周波数帯域に隣接する周波数帯域における少なくとも１つの振幅の関数または前記受信機の制御下に無い信号の関数として、および前記動作周波数帯域における少なくとも１つの振幅の関数として、前記隣接する帯域の信号が前記動作周波数帯域内の信号パワーに対して大きすぎる場合に、前記可変フィルタのフィルタリング特性を狭帯域に変更することにより前記隣接する帯域からの信号の減衰を向上させるための処理回路（２２、１７０）、
前記メイン信号経路上のアナログ信号のレプリカを受信するためのバンドエッジ検出経路（１８、１４４）、
前記バンドエッジ検出経路上の前記アナログ信号を上側エッジ検出経路（５０、１６０）と下側エッジ検出経路（５２、１６２）へ分割するための信号分割器（４８、１５４）、
前記上側エッジ検出経路および前記下側エッジ検出経路上の前記アナログ信号を受信し、前記動作周波数帯域の上側エッジにおける前記アナログ信号の振幅である上側エッジ振幅と前記動作周波数帯域の下側エッジにおける前記アナログ信号の振幅である下側エッジ振幅を生成して前記処理回路へ提供するための検出回路（２０、１４６）、および
前記メイン信号経路上の前記動作周波数帯域における少なくとも１つの振幅を検出して前記処理回路へ提供するための検出回路（２６ａ、２６ｂ、１９０ａ、１９０ｂ）を含むことを特徴とするシステム。
【請求項４】
隣接する帯域からの信号により帯域アナログデジタル変換器が飽和することを防止するために、過負荷保護回路がフィルタリング特性を狭帯域に変更するものである請求項３記載のシステム。
【請求項５】
無線通信システムにおける干渉を低減する方法であって、
受信機のメイン信号経路（４０、１２６）上に動作周波数帯域内の無線周波数アナログ信号を受信し、
可変フィルタ（２４、１８０）を通じて前記受信されたアナログ信号をフィルタリングし、
アナログパワーレベル指示器（２６ａ、１９０ａ）へ前記フィルタリングされたアナログ信号を送信し、
前記アナログパワーレベル指示器を通じて前記動作周波数帯域のパワーレベルを決定し、
バンドエッジ検出回路（１８、１４４）へ前記動作周波数帯域内の前記受信された無線周波数アナログ信号のレプリカを送信し、
前記受信された無線周波数アナログ信号の前記レプリカを分割し（４８、１５４）、上側バンドエッジ検出経路（５０，１６０）と下側バンドエッジ検出経路（５２、１６２）の各々へレプリカを提供し、
前記受信機の制御下に無い隣接する周波数帯域における少なくとも１つの振幅を測定し（２０、１４６）、
前記隣接する周波数帯域の前記振幅を前記動作周波数帯域の前記パワーレベルと比較し（２２、１７０）、そして、
前記隣接する周波数帯域の前記振幅と前記動作周波数帯域の前記パワーレベルとの前記比較の関数として、前記隣接する帯域の信号が前記動作周波数帯域内の信号パワーに対して大きすぎる場合に、前記可変フィルタのフィルタリング特性を狭帯域に変更することにより前記隣接する帯域からの信号の減衰を向上させるように、前記可変フィルタを調整することを特徴とする方法。
【請求項６】
無線通信システムにおける干渉を低減する方法であって、
受信機のメイン信号経路（４０、１２６）上に動作周波数帯域内の無線周波数アナログ信号を受信し、
可変フィルタ（２４、１８０）を通じて前記受信されたアナログ信号をフィルタリングし、
アナログデジタル変換器（３５、１８２）へ前記フィルタリングされたアナログ信号を送信し、
デジタルパワーレベル指示器（２６ｂ、１９０ｂ）へ前記アナログデジタル変換器の出力を送信し、
前記デジタルパワーレベル指示器を通じて前記動作周波数帯域のパワーレベルを決定し、
バンドエッジ検出回路（１８、１４４）へ前記動作周波数帯域内の前記受信された無線周波数アナログ信号のレプリカを送信し、
前記受信された無線周波数アナログ信号の前記レプリカを分割し（４８、１５４）、上側バンドエッジ検出経路（５０、１６０）と下側バンドエッジ検出回路（５２，１６２）の各々へレプリカを提供し、
前記受信機の制御下に無い隣接する周波数帯域における少なくとも１つの振幅を測定し（２０、１４６）、
前記隣接する周波数帯域の前記振幅を前記動作周波数帯域の前記パワーレベルと比較し（２２、１７０）、そして、
前記隣接する周波数帯域の前記振幅と前記動作周波数帯域の前記パワーレベルとの前記比較の関数として、前記隣接する帯域の信号が前記動作周波数帯域内の信号パワーに対して大きすぎる場合に、前記可変フィルタのフィルタリング特性を狭帯域に変更することにより前記隣接する帯域からの信号の減衰を向上させるように、前記可変フィルタを調整することを特徴とする方法。
【発明の詳細な説明】
【技術分野】
【０００１】  本発明は、無線通信に関し、特に、無線通信システムにおいて干渉を低減するバンドエッジパワーキャンセレーション方式に関する。
【背景技術】
【０００２】  無線通信システムのサービスエリアは、セルとして知られる連結されたサービスドメインに分割され、無線装置は、セルを管理する基地局（ＢＳ）と無線リンクを介して通信する。基地局は、例えば、サービスエリアに亙って分散される複数の基地局に接続された移動通信交換局（Ｍｏｂｉｌｅ  Ｓｗｉｔｃｈｉｎｇ  Ｃｅｎｔｅｒ（ＭＳＣ））を介して、ランドネットワークに連結される。無線通信業界では、サービスプロバイダはしばしば、ＲＦ通信チャネルの無線送信および受信に対して２つ以上の不連続のまたは分離した周波数帯域の使用が許可される。例えば、米国では、セルラ通信のための「Ａ」帯域プロバイダ用の基地局は、Ａ（８２５〜８３５ＭＨｚ）、Ａ’（８４５〜８４６．５ＭＨｚ）およびＡ’’（８２４〜８２５ＭＨｚ）帯域内の周波数チャネルを受信し、無線装置は、Ａ（８７０〜８８０ＭＨｚ）、Ａ’（８９０〜８９１．５ＭＨｚ）およびＡ’’（８６９〜８７０ＭＨｚ）帯域内の周波数チャネルを受信する。Ｂ帯域プロバイダ用の基地局は、Ｂ（８３５〜８４５ＭＨｚ）およびＢ’（８４６．５〜８４９ＭＨｚ）周波数帯域内の周波数チャネルを受信し、無線装置は、Ｂ（８８０〜８９０ＭＨｚ）およびＢ’（８９１．５〜８９４ＭＨｚ）周波数帯域内の周波数チャネルを受信する。更に、パーソナル移動通信システム（ＰＥＲＳＯＮＡＬ  ＣＯＭＭＵＮＩＣＡＴＩＯＮＳ  ＳＹＳＴＥＭ（ＰＣＳ）プロバイダ用の基地局は、１つまたは複数のＰＣＳ帯域（１８５０ＭＨｚ〜１９１０ＭＨｚ）で無線装置から周波数チャネルを受信することができ、無線装置は、１つまたは複数のＰＣＳ帯域（１９３０〜１９９０ＭＨｚ）で周波数チャネルを受信する。【０００３】  システム性能を向上させシステム容量を増大させるために、無線装置および／または基地局によって送信されるパワーレベルが制御される。パワー制御は、概して、受信装置または局が送信局または装置からの信号強度を測定することによって行われる。受信装置または局は、受信信号強度に基づいてその送信パワーを調整することができ、および／または受信装置または局は、パワー制御情報を、そのパワー制御情報に応じてその送信パワーレベルを調整する送信装置に中継することができる。無線装置毎に送信されるパワーレベルは、一般に、管理する基地局の制御下にあり、基地局は、良質のリバースリンクを維持しつつ各無線装置が送信しているパワーレベルを低減するようにパワー制御を実行する。各無線装置が送信しているパワーレベルを低下させることにより、無線装置の送信によって生成されるシステム全体の干渉が低減される。かかるシナリオにより、無線セルラ通信システムのための容量を増大させることが可能になる。それは、送信パワーが低下することにより、無線セルラ通信システムにおけるすべての無線装置に対し、全体の信号対干渉比が低下するためである。【０００４】  隣接するセルおよび／または隣接する無線通信システムの周波数帯域は、同じ基地局のパワー制御下に無いため、基地局の動作周波数帯域に近接する、他のセルからの１つまたは複数の信号／搬送波のパワーが強すぎ、基地局の無線受信機回路に過負荷を与える可能性がある。例えば、システムハードウェアコストを���減するために、サービスプロバイダは、不連続周波数帯域内の信号の同時受信および処理のために共通の受信機を使用することを希望する。一般に、受信機のフロントエンドにある自動利得制御（ＡＧＣ）は、過負荷から基地局を保護するためには有効であるが、セルの端部におけるユーザを犠牲にする。
【発明が解決しようとする課題】
【０００５】  しかしながら、無線受信機のフィルタの有限ロールオフ特性により、隣接する帯域からの信号は、広帯域アナログデジタル（Ａ／Ｄ）変換器を飽和させるほどのパワーレベルで無線受信機に届く可能性がある。Ａ／Ｄ変換器は、近年のセルラ無線受信機において過負荷から保護するための最も重要なコンポーネントである。Ａ／Ｄ変換器は、増幅器、ミクサおよび他のアナログ半導体装置の場合のようなソフトクリッピング方法で動作しない。Ａ／Ｄ変換器が飽和する（すなわち、入力信号がＡ／Ｄのフルスケール分解能を超える）と、デジタル出力符号は、ビットの分解能によって制限される最大二進数を超えることができない。アナログ入力信号をデジタル化し追跡するＡ／Ｄ変換器からの、二進出力パターンにおける急な変化（または急な停止／クリッピング）は、不連続性と呼ばれ、デジタルドメインに大規模なスプリアス応答をもたらす（振幅が急にクリッピングして、想定されたアナログ入力信号のフーリエ変換が行われた場合）。
【０００６】  Ａ／Ｄ変換器の飽和を防止するために、ある程度の過負荷保護を実現することが必要である。
【課題を解決するための手段】
【０００７】  本発明は、受信機の動作帯域のエッジに隣接する信号および／または受信機のパワー制御下に無い信号の振幅に基づいて、受信機のフィルタリング特性を変更するバンドエッジ振幅低減システムである。例えば、受信機は、受信機の動作帯域のバンドエッジにおいて帯域幅に亙るパワーレベルを測定する。動作帯域に隣接する信号が動作帯域内の信号パワーに対して大きすぎる場合、過負荷保護回路が、隣接する帯域からの信号の減衰を向上させるように受信機のフィルタリング特性を変更する。いくつかの実施の形態では、過負荷保護回路は、受信機の動作帯域のエッジにおいて隣接する帯域からの信号を減衰させるように、帯域幅がより狭いフィルタで切替えを行い、それによって、動作帯域の外側からの信号および／または受信機の制御下に無い信号との干渉、またはそれら信号による受信機の過負荷を防止する。
【０００８】  本発明の他の態様および利点は、以下の詳細な説明を読むことにより、および図面を参照することにより明らかとなり得る。
【発明を実施するための形態】
【０００９】  本発明の原理によりバンドエッジパワー低減回路を使用する受信機システムの例示的な実施の形態を以下に示す。特に図１を参照すると、受信機１０は、無線周波数（ＲＦ）アナログ信号を受信するアンテナ１２を含む。ＲＦアナログ信号は、ＲＦ帯域フィルタ１４によって受信機１０用の動作周波数帯域を生成するためにフィルタリングされる。ＲＦフィルタ１４の出力は、増幅されるために低雑音増幅器等の増幅器１６に供給される。無線フロントエンドは、少なくともアンテナ１２とＲＦフィルタ１４と増幅器１６とからなる。動作周波数帯域のレプリカが、バンドエッジパワー検出器回路２０によって検出されるためにバンドエッジ検出経路１８に供給される。バンドエッジパワー検出回路２０は、動作周波数帯域に隣接するかまたはそれに対するエッジにおける帯域幅、および／または受信機１０の制御下に無い信号からの帯域幅に対し、パワーレベル等、少なくとも１つの振幅を測定する。例えば、ＳＡＷ、集中素子型または他のタイプのフィルタを使用する、３０ＫＨｚ〜１ＭＨｚ幅の狭帯域等、動作の周波数帯域の端部に隣接するかまたは端部における周波数の狭帯域のパワーレベルである。処理回路２２は、異常である、所望でないまたは干渉する振幅の関数として、可変フィルタ２４のフィルタリング特性を変更する制御信号を供給することにより、動作の周波数帯域のバンドエッジにおける振幅、例えば干渉を減衰させる。バンドエッジとは、動作の周波数帯域のエッジに隣接しおよび／またはそれを包含する帯域幅を言うことができる。
【００１０】  本実施の形態によって、処理回路２２は、バンドエッジにおける振幅と、動作の周波数帯域またはその一部に対しアナログ振幅指示器２６ａまたはデジタル振幅指示器２６ｂによって提供される、パワーレベル等の振幅と、の間の比較を行うことができる。その比較に基づき、処理回路２２は、可変フィルタ２４に対しそのフィルタリング特性を変更する制御信号を供給することができる。例えば、制御信号は、フィルタバンク３４のフィルタ３２ａおよび３２ｂ間で受信信号を切替えるスイッチ２８および３０を制御する。処理回路２２は、動作の周波数帯域に隣接するバンドエッジにおける振幅の関数として、一方または両方のバンドエッジにおいて可変フィルタ２４を通過する帯域を狭くする（例えば、１５ＭＨｚから１３ＭＨｚへ、または５ＭＨｚから３ＭＨｚへ）ように、フィルタ３２ａおよび３２ｂ間のスイッチングをもたらすことにより、無線装置（図示せず）からの隣接する周波数帯域からおよび／または受信機１０のパワー制御下に無いパワー等、バンドエッジにおけるパワーレベルまたは干渉等の振幅を減衰させる。
【００１１】  代替的な実施の形態では、マイクロコントローラおよびＡ／Ｄ変換器等の処理回路２２は、例えば受信機１０の制御下にある信号の振幅と動作の周波数帯域内の信号の全体の振幅とを比較することにより、受信機１０の制御下に無い信号の振幅の関数として可変フィルタ２４を制御する制御信号を供給することができる。代替的に、処理回路２２が、例えばＡ／Ｄ変換器３５からの過負荷信号を受信することにより、過負荷または飽和の指示を受信した場合、受信機１０の制御下に無い信号の振幅を想定することができ、その振幅によって受信機１０のフィルタリング特性に変化をもたらすことができる。更に、処理回路２２からの制御信号を使用してフィルタリング特性を変更することができる、可変フィルタ２４に対する代替的な実施の形態も可能である。例えば、プログラマブルフィルタ、フィルタ素子のプログラマブルアレイ、バラクタ同調フィルタおよび／またはチューナブルキャビティフィルタを使用することができる。
【００１２】  図１に示す実施の形態では、アンテナ１２および無線フロントエンドによりメイン信号経路４０にＲＦアナログ信号が受信される。カプラ４２は、メイン信号経路４０におけるＲＦアナログ信号のレプリカを、無線周波数（ＲＦ）の無線フロントエンドから直接バンドエッジ検出回路２０のバンドエッジ検出経路１８に供給する。バンドエッジ検出回路２０は、バンドエッジ検出経路１８からＲＦスペクトルを受信し、増幅器４４は、経路１８上のＲＦアナログ信号を増幅する。そして、ＲＦアナログ信号は、例えば動作の周波数帯域に隣接する周波数を含むように、帯域フィルタ４６により、所望の方法でフィルタリングされる。スプリッタ４８は、バンドエッジ検出経路１８のＲＦアナログ信号を分割し、上側エッジ検出経路５０と下側エッジ検出経路５２とにＲＦスペクトルのレプリカを供給する。上側エッジ検出経路５０では、ミクサ５４が、ＲＦアナログ信号を局部発振器（ＬＯ）５６からの信号と混合することにより、フィルタリングおよび検出を向上させるために、ＲＦスペクトルを例えばより低い周波数に周波数変換する。ミクサ５４からのアナログスペクトルは、動作の周波数帯域に対する上側バンドエッジからの周波数の上側バンドエッジ帯域幅を通過させ他の周波数を減衰させる、例えば表面弾性波（ＳＡＷ）フィルタ等の帯域フィルタ５８に供給される。上側バンドエッジ帯域幅は、上側バンドエッジ帯域幅のパワーレベルを示すかまたは表す信号を生成するパワー検出器６０に供給される。低域フィルタ６２は、パワー検出器６０からの信号をフィルタリングすることにより、処理回路２２に対し、上側エッジ帯域幅のパワーレベルを表すより低速に変化する振幅信号を供給する。
【００１３】  下側エッジ検出経路５２では、ミクサ６４が、ＲＦアナログ信号を局部発振器（ＬＯ）６６からの信号と混合することにより、フィルタリングおよび検出を向上させるためにＲＦスペクトルを例えばより低い周波数に周波数変換する。ミクサ６４からのアナログスペクトルは、動作の周波数帯域に対する周波数の下側バンドエッジ帯域幅を通過させ他の周波数を減衰させる、ＳＡＷフィルタ等の帯域フィルタ６８に供給される。下側バンドエッジ帯域幅は、下側バンドエッジ帯域幅のパワーレベルを示すかまたは表す信号を生成するパワー検出器７０に供給される。低域フィルタ７２は、パワー検出器７０からの信号をフィルタリングすることにより、処理回路２２に対し下側エッジ帯域幅のパワーレベルを表すより低速に変化する振幅信号を生成する。これにより、本実施の形態では、処理回路２２は上側および下側バンドエッジ帯域幅のパワーレベルを示すかまたは表す信号を受信する。本実施の形態により、受信機１０が、動作の変化する周波数帯域内で動作するか、または異なるセルおよび／または無線通信システム間の動作の断片化したまたは不連続の動作の周波数帯域内で動作する場合、追加のバンドエッジを検出するために追加のバンドエッジ検出経路を使用することができる。更に、動作の周波数帯域により、処理回路２２は、バンドエッジ帯域幅を変更することができるようにＬＯを異なる周波数に調整する制御信号を、ＬＯ５６および６６に供給することができる。
【００１４】  カプラ４２後のメイン信号経路４０では、局部発振器（ＬＯ）８２からも信号を受信するミクサ８０にスペクトルを供給することにより、ＲＦアナログ信号が中間周波数（ＩＦ）に逓降変換（ダウンコンバート）される。追加のＩＦ段８４を通過した後、スペクトルは、局部発振器（ＬＯ）８８からも信号を受信するミクサ８６に供給されることにより、更にダウンコンバートされる。そして、スペクトルは、動作の周波数帯域に隣接するバンドエッジにおける振幅の関数としてスペクトルをフィルタリングする可変フィルタ３４に供給される。フィルタリングされた信号は、増幅器９０によって増幅され、本実施の形態では帯域フィルタ９２がそのスペクトルを更にフィルタリングする。本実施の形態では、アナログスペクトルは、デジタルドメインに変換されるためにアナログデジタル（Ａ／Ｄ）変換器３５に供給される。アナログ信号はサンプルされ、デジタルサンプル値が生成され（そこから、アナログスペクトルのデジタル表現を取得することができる）、デジタルダウンコンバータ（ＤＤＣ）およびデジタル信号プロセッサ（ＤＳＰ）を含むことができる（処理回路２２と共に）処理回路９８に向かうバス９６に与えられる。例えば隣接する周波数で動作するおよび／または受信機１０の制御下に無いＲＦ信号源からの、受信機１０の動作の周波数帯域に対するバンドエッジにおけるパワーレベルが、所定レベルより上である場合、バンドエッジにおけるパワーレベルはＡ／Ｄ変換器３５を飽和させる可能性がある。
【００１５】  本実施の形態により、処理回路２２は、隣接する周波数のおよび／または受信機１０の制御下に無い信号の、バンドエッジにおける振幅の関数として、可変またはチューナブルフィルタ３４に制御信号を供給することにより、バンドエッジにおけるパワー等の振幅を減衰させることができる。バンドエッジにおけるパワーに加えて、処理回路２２は、動作の周波数帯域またはその一部のパワーレベル等の振幅の関数として、フィルタリング特性を変更することができる。例えば、処理回路２２は、バンドエッジのパワーレベルと動作の周波数帯域またはその一部のパワーレベルとの比較に基づいて可変フィルタ３４に制御信号を供給することができる。本実施の形態により、アナログパワー指示器２６ａは、パワー検出器１０４へのアナログパワー検出経路１０２に動作の周波数帯域のレプリカを供給するカプラ１００を含むことができる。パワー検出器１０４は、動作の周波数帯域のパワーレベルを示すかまたは表す信号を処理回路２２に供給する。代替的に、デジタルパワーレベル指示器２６ｂは、動作の周波数帯域またはその一部のパワーレベルを表す信号または値を処理回路２２（処理回路９８の一部とすることができる）に供給する処理回路９８の一部を含むことができる。これにより、バンドエッジパワー低減システムは、隣接する帯域で動作する無線装置またはＲＦ信号源からの信号および／または受信機１０のパワー制御下に無い信号によってもたらされる、Ａ／Ｄ変換器３５の過負荷または動作帯域幅内の干渉を防止することができる。
【００１６】  図２は、最終中間周波数（ＩＦ）段後の過負荷バンドエッジ信号を探索するバンドエッジ低減システムの実施の形態を使用する受信機１２０の代替的な実施の形態を示す。受信機１２０は、アンテナ１２２および無線フロントエンド１２４においてメイン信号経路１２６に無線周波数（ＲＦ）アナログ信号を受信する。ＲＦアナログ信号は、局部発振器（ＬＯ）１３０からも信号を受信するミクサ１２８に供給されることにより、中間周波数（ＩＦ）に逓降変換（ダウンコンバート）される。あり得るＩＦ段１３２を通過した後、スペクトルは、局部発振器（Ｌｏ）１３６からも信号を受信するミクサ１３４に供給されることにより、更にダウンコンバートされる。可能な追加のＩＦ段１４０を通過後、カプラ１４２が、バンドエッジ検出回路１４６用のバンドエッジ検出経路１４４に対しメイン信号経路１２６のアナログ信号スペクトルのレプリカを供給する。
【００１７】  バンドエッジ検出回路１４６は、バンドエッジ検出経路１４４からアナログスペクトルを受信し、増幅器１４８は、経路１４４上のアナログ信号を増幅する。そして、アナログ信号は、帯域フィルタ１５２により所望の方法でフィルタリングされる。スプリッタ１５４は、バンドエッジ検出経路１４４のアナログ信号を分割し、スペクトルのレプリカを上側エッジ検出経路１６０と下側エッジ検出経路１６２とに供給する。上側エッジ検出経路１６０において、アナログスペクトルは、動作の周波数帯域に対する上側バンドエッジからの周波数の上側バンドエッジ帯域幅を通過させ他の周波数を減衰させる、ＳＡＷフィルタ等の帯域フィルタ１６４に供給される。上側バンドエッジ帯域幅は、上側バンドエッジ帯域幅のパワーレベルを示すかまたは表す信号を生成するパワー検出器１６６に供給される。低域フィルタ１６８は、パワー検出器１６６からの信号をフィルタリングすることにより、Ａ／Ｄ変換器を含むマイクロコントローラ等の処理回路１７０に対し、上側エッジ帯域幅のパワーレベルを表す低速で変化する振幅信号を生成する。
【００１８】  下側エッジ検出経路１６２では、アナログスペクトルは、動作の周波数帯域に関する下側バンドエッジからの周波数の下側バンドエッジ帯域幅を通過させ他の周波数を減衰させる、ＳＡＷフィルタ等の帯域フィルタ１７２に供給される。下側バンドエッジ帯域幅は、下側バンドエッジ帯域幅のパワーレベルを示すかまたは表す信号を生成するパワー検出器１７６に供給される。低域フィルタ１７８は、パワー検出器１７６からの信号をフィルタリングすることにより、処理回路１７０に対し、下側エッジ帯域幅のパワーレベルを表す低速で変化する振幅信号を生成する。これにより、本実施の形態では、処理回路１７０は、上側および下側バンドエッジ帯域幅のパワーレベルを示すかまたは表す信号を受信し、バンドエッジにおける振幅の関数として、可変フィルタ１８０のフィルタリング特性を変更する制御信号を供給することにより、例えばバンドエッジにおけるパワーを減衰させる。本実施の形態によれば、例えば受信機１２０が動作の変化する周波数帯域内で動作するか、または異なるセルおよび／または無線通信システム間の動作の断片化したかまたは不連続の周波数帯域内で動作する場合、追加のバンドエッジを検出するために追加のバンドエッジ検出経路を使用することができる。
【００１９】  そして、カプラ１４２ヘの出力におけるメイン信号経路１２６では、スペクトルが、周波数帯域に隣接するおよび／または受信機１２０の制御下に無い信号の、バンドエッジにおける振幅の関数としてスペクトルをフィルタリングする可変フィルタ１８０に、供給される。本実施の形態では、アナログスペクトルは、デジタルドメインに変換されるためにアナログデジタル（Ａ／Ｄ）変換器１８２に供給される。アナログ信号はサンプルされ、デジタルサンプル値が生成され（そこから、アナログスペクトルのデジタル表現を取得することができる）、デジタルダウンコンバータ（ＤＤＣ）およびデジタル信号プロセッサ（ＤＳＰ）を含むことができる処理回路１８８（処理回路１７０と共に）に向かうバス１８４に与えられる。例えば隣接する周波数で動作する無線装置からの、受信機１２０の動作の周波数帯域に隣接するバンドエッジにおけるパワーレベルが、所定のレベルより上である場合、バンドエッジにおけるパワーレベルが、Ａ／Ｄ変換器１８２を飽和させる可能性がある。
【００２０】  処理回路１７０は、隣接する周波数のおよび／または受信機１２０の制御下に無い信号の、バンドエッジにおける振幅の関数として、可変フィルタ１８０に制御信号を供給することにより、バンドエッジにおけるパワーを減衰させることができる。隣接する周波数のおよび／または受信機１２０の制御下に無い信号のバンドエッジにおけるパワーに加えて、処理回路１８０は、動作の周波数帯域またはその一部のパワーレベル等の振幅の関数として、フィルタリング特性を変更することができる。例えば、処理回路１７０は、バンドエッジのパワーレベルと動作の周波数帯域またはその一部のパワーレベルとの比較に基づき、可変フィルタ１８０に制御信号を供給することができる。本実施の形態により、アナログパワー指示器１９０ａは、パワー検出器１９６へのアナログパワー検出経路１９４に動作の周波数帯域のレプリカを供給するカプラ１９２を含むことができる。パワー検出器１９６は、動作のスペクトルのパワーレベルを示すかまたは表す信号を処理回路１７０に供給する。代替的に、デジタルパワーレベル指示器１９０ｂは、動作の周波数帯域またはその一部のパワーレベルを表す信号または値を処理回路１７０（処理回路１８８の一部とすることができる）に供給する処理回路１８８の一部を含むことができる。これにより、バンドエッジパワー低減システムは、隣接する周波数帯域で動作する無線装置またはＲＦ信号源からの信号および／または受信機１２０のパワー制御下に無い信号によってもたらされる、Ａ／Ｄ変換器１８２の過負荷を防止することができる。
【００２１】  代替的な実施の形態では、処理回路１７０は、例えば受信機１２０の制御下にある信号の振幅と動作の周波数帯域内の信号の全体の振幅とを比較することにより、受信機１２０の制御下に無い信号の振幅の関数として、可変フィルタ１８０を制御する制御信号を供給することができる。代替的に、処理回路１７０が、例えばＡ／Ｄ変換器１８２から過負荷信号を受信することにより過負荷または飽和の指示を受信した場合、受信機１２０の制御下に無い信号の振幅を想定することができ、その振幅により受信機１２０のフィルタリング特性に変化をもたらすことができる。更に、処理回路１７０からの制御信号を使用してフィルタリング特性を変化させることができる、可変フィルタ１８０の代替的な実施の形態も可能である。
【００２２】  上述した実施の形態に加えて、構成要素を省略および／または追加する、および／または上述した受信機アーキテクチャの変形または一部を使用する、本発明の原理に従ってバンドエッジ振幅低減システムの代替的な構成も可能である。当業者によって理解されるように、受信機アーキテクチャを構成する種々の構成要素とそれらそれぞれの動作パラメータおよび特性は、適当な動作を提供するために適当に調和されなければならない。例えば、北米ＴＤＭＡ（Ｎｏｒｔｈ  Ａｍｅｒｉｃａｎ  ＴＤＭＡ）システム、移動通信用グローバル（Ｇｌｏｂａｌ  Ｓｙｓｔｅｍ  Ｆｏｒ  Ｍｏｂｉｌｅ  Ｃｏｍｍｕｎｉｃａｔｉｏｎ（ＧＳＭ））システム、符号分割多重接続（ｃｏｄｅ  ｄｉｖｉｓｉｏｎ  ｍｕｌｔｉｐｌｅ  ａｃｃｅｓｓ（ＣＤＭＡ））システムまたは周波数分割多重接続（ｆｒｅｑｕｅｎｃｙ  ｄｉｖｉｓｉｏｎ  ｍｕｌｔｉｐｌｅ  ａｃｃｅｓｓ（ＦＤＭＡ））システムから信号を受信する、受信機システムの実施の形態を使用することができる。従って、本発明の原理による受信機は、異なる周波数帯域または方式を使用してアナログ信号を受信することができる。アナログ信号は、広帯域、ブロードバンドおよび／または狭帯域として特徴付けることができる。更に、本発明の原理による受信機の実施の形態は、基地局受信周波数に関連する周波数帯域で説明したが、本発明の原理による受信機アーキテクチャは、無線装置受信帯域等の他の周波数帯域から情報を受信する、移動体装置等の無線装置において使用することができる。
【００２３】  更に、受信機システムを、別個の構成要素の特定の構成を用いて説明したが、受信機システムおよびその一部は、特定用途向け集積回路、ソフトウェア駆動処理回路、ファームウェア、プログラム可能論理素子、ハードウェア、または本開示の利点を備えた当業者によって理解されるような別個の構成要素の他の構成において、実現することができる。例示的な実施の形態では、特定の回路を用いて示したが、バンドエッジ振幅低減システムは、示されている回路と比較される場合に、共に同様の機能を実行する異なる構成要素を使用することができる。説明したことは、本発明の原理の適用を単に例示したものである。当業者は、本発明に対して、本明細書で示し説明した例示的な適用に厳密に従うことなく、および本発明の精神および範囲から逸脱することなく、これらおよび種々の他の変更、構成および方法を行うことができるということを容易に理解されるであろう。
【図面の簡単な説明】
【図１】  本発明の原理によるバンドエッジ振幅低減回路を使用する受信機の概略ブロック図を示す。
【図２】  本発明の原理による、バンドエッジ振幅低減回路を使用する受信機の代替的な実施の形態のブロック図を示す。
【符号の説明】１０…受信機
１８…バンドエッジ検出経路
２２…処理回路
２４…可変フィルタ
３２ａ、３２ｂ…フィルタ
４０…メイン信号経路
５０…上側エッジ検出経路
５２…下側エッジ検出経路
１０２…アナログパワー検出経路
【図１】
0005409979.tif 000002
【図２】
0005409979.tif 000003